(57)【要約】【課題】  この発明は、セキュリティを確保しつつ印刷設定を容易に行うことができるようにして操作性を向上した印刷システムおよび印刷制御方法サーバを提供する。【解決手段】  クライアント装置１０−１、…１０−ｍは、該クライアント装置に対応して設けられた認証装置１１−１、…１１−ｍで印刷指示の認証を行い、該認証された印刷指示に係わる印刷ジョブをプリントサーバ２０に送信し、印刷装置３０−１、…３０−ｎは、プリントサーバ２０に蓄積された印刷ジョブの印刷許可の認証を該印刷装置に対応して設けられた認証装置４０−１、…４０−ｎで行って当該印刷ジョブを実行し、認証装置１１−１、…１１−ｍによる印刷指示の認証は所定の認証情報を記憶するセキュリティカードを用いて行い、クライアント装置は、該セキュリティカードに印刷設定情報が記憶されている場合は、該印刷設定情報を当該印刷ジョブに設定してサーバに送信する。【選択図】  図１
2006259866.tif 000002
【特許請求の範囲】
【請求項１】
ネットワークに接続されたクライアント装置と、サーバ装置と、１または複数の印刷装置とを有し、前記クライアント装置は、該クライアント装置に対応して設けられた第１の認証装置で印刷指示の認証を行い、該認証された印刷指示に係わる印刷ジョブに所定の印刷設定情報を設定してサーバ装置に送信し、前記印刷装置は、前記サーバ装置に蓄積された前記印刷ジョブの印刷許可の認証を該印刷装置に対応して設けられた第２の認証装置で行って当該印刷ジョブを該印刷ジョブに設定された印刷設定情報に基づき実行する印刷システムにおいて、
前記第１の認証装置は、
前記印刷指示の認証を所定の認証情報を記憶する記憶媒体を用いて行い、
前記クライアント装置は、
前記記憶媒体に印刷設定情報が記憶されている場合は、該印刷設定情報を前記印刷ジョブに設定して前記サーバに送信する印刷指示手段
を具備することを特徴とする印刷システム。
【請求項２】
前記印刷指示手段により設定された前記印刷設定情報を変更する印刷設定情報設定変更手段と、
前記印刷設定情報設定変更手段により前記印刷設定情報が変更された場合は、該変更した印刷設定情報を前記記憶媒体に書き込む印刷設定情報書込手段と
を更に具備することを特徴とする請求項１記載の印刷システム。
【請求項３】
前記第２の認証装置は、
前記第１の認証装置で印刷指示の認証に用いた記憶媒体を用いて印刷許可の認証を認証を行う
ことを特徴とする請求項１または２に記載の印刷システム。
【請求項４】
前記サーバ装置は、
前記第２の認証装置で認証した印刷ジョブに付加された印刷情報と前記記憶媒体に記憶された印刷情報との照合を行い、
前記印刷ジョブに付加された印刷情報と前記記憶媒体に記憶された印刷情報とが一致した場合に当該印刷ジョブを前記印刷装置に送信する
ことを特徴とする請求項３記載の印刷システム。
【請求項５】
前記サーバ装置は、
前記印刷ジョブに付加された印刷情報と前記記憶媒体に記憶された印刷情報とが一致しない場合は、当該印刷ジョブに前記記憶媒体に記憶された印刷設定情報を設定して前記印刷装置に送信する
ことを特徴とする請求項４記載の印刷システム。
【請求項６】
ネットワークに接続されたクライアント装置と、サーバ装置と、１または複数の印刷装置とを有し、前記クライアント装置は、該クライアント装置に対応して設けられた第１の認証装置で印刷指示の認証を行い、該認証された印刷指示に係わる印刷ジョブに所定の印刷設定情報を設定してサーバ装置に送信し、前記印刷装置は、前記サーバ装置に蓄積された前記印刷ジョブの印刷許可の認証を該印刷装置に対応して設けられた第２の認証装置で行って当該印刷ジョブを該印刷ジョブに設定された印刷設定情報に基づき実行する印刷システムの印刷制御方法において、
前記第１の認証装置は、前記印刷指示の認証を所定の認証情報を記憶する記憶媒体を用いて行い、
前記クライアント装置は、前記記憶媒体に印刷設定情報が記憶されている場合は、該印刷設定情報を印刷指示手段で前記印刷ジョブに設定して前記サーバに送信する
ことを特徴とする印刷制御方法。
【発明の詳細な説明】
【技術分野】
【０００１】
この発明は、印刷システムおよび印刷制御方法に関し、詳しくは、セキュリティを確保しつつ複数のユーザが印刷設定を容易に行うことができるようにして操作性を向上した印刷システムおよび印刷制御方法に関する。
【背景技術】
【０００２】
最近、ネットワークに複数のクライアント装置を接続するとともに複数のプリンタを接続し、この複数のプリンタを複数のクライアント装置で共有するようにした、いわゆるネットワーク環境でのプリンタが使用できるようにしたシステムが多く構築されている。
【０００３】
このようなネットワーク環境でプリンタを共有するシステムにおいては、印刷文書のセキュリティの確保が問題になっている。
【０００４】
例えば、このようなネットワーク環境においては、任意のクライアント装置から任意のプリンタに対して文書の印刷指示が可能になり、また、プリンタは、必ずしもクライアント装置の近くに配置されるとは限らないので、
１）文書の印刷権限がないユーザからも印刷指示が行われる場合がある
２）正当な権限を有するユーザからの印刷指示であっても、この印刷指示に基づきプリンタから出力された文書を当該ユーザが取りに行くまでの間にこの文書が第三者によって持ち去られたり、または、その内容が見られてしまう虞がある
等の問題がある。
【０００５】
この問題を解決するために、従来、特許文献１に示すように、ネットワーク環境にあるプリンタから印刷を行う時には、このプリンタのオペレーションパネルからの暗証番号の入力を要求し、この暗証番号で本人認証を行うことで印刷を許可するようにした構成が提案されている。
【０００６】
また、特許文献２に示すように、プリンタからの印刷に際して、ＩＣカードを用いて本人認証を行って印刷を許可する構成も提案されている。 
また、指紋認証のような生体認証で本人認証を行って印刷を許可若しくは印刷物の取り出しを許可する構成も知られている。
【特許文献１】特開平８−２５６２３９号
【特許文献２】特開２００２−２４０３９８
【発明の開示】
【発明が解決しようとする課題】
【０００７】
しかしながら、特許文献１および特許文献２に示しされたものは、いずれもプリンタ側で本人認証を行うものであるので、認証媒体の多様性や生体認証デバイスの多様性に対応することが困難である。
【０００８】
なぜならば非常に多くの認証デバイスが市場に存在しこの認証デバイスごとに互換性のないものが多種類にわたり存在するため、プリンタ内に認証デバイス毎の認証判定を行う部分を設けることは、プリンタ開発コストが著しく高まるという問題点があった。
【０００９】
また、特許文献２に示すようなＩＣカードを利用して本人認証を行う構成においては、一般に、カードの構成情報や利用情報が特定のＯＳ環境以外には開示されない傾向があるので、ＩＣカードを利用した本人認証構成を一般のネットワーク環境のプリンタ内に設けるのは困難であるという問題もあった。
【００１０】
また、特許文献１および特許文献２のいずれの構成も、プリンタ本体内に認証判定を行う構成を設ける必要があるので、プリンタの構成の変更を伴い、既に導入されているネットワーク環境を変更することなく、各種認証デバイスを採用することは困難であった。
【００１１】
また、一台のクライアント装置を複数のユーザが利用する環境においては、各ユーザが印刷指示を行う度に各ユーザに対応した印刷設定を行う必要があるので、操作性において問題があった。
【００１２】
そこで、この発明は、セキュリティを確保しつつ印刷設定を容易に行うことができるようにして操作性を向上した印刷システムおよび印刷制御方法サーバを提供することを目的とする。
【課題を解決するための手段】
【００１３】
上記目的を達成するため、請求項１の発明は、ネットワークに接続されたクライアント装置と、サーバ装置と、１または複数の印刷装置とを有し、前記クライアント装置は、該クライアント装置に対応して設けられた第１の認証装置で印刷指示の認証を行い、該認証された印刷指示に係わる印刷ジョブに所定の印刷設定情報を設定してサーバ装置に送信し、前記印刷装置は、前記サーバ装置に蓄積された前記印刷ジョブの印刷許可の認証を該印刷装置に対応して設けられた第２の認証装置で行って当該印刷ジョブを該印刷ジョブに設定された印刷設定情報に基づき実行する印刷システムにおいて、前記第１の認証装置は、前記印刷指示の認証を所定の認証情報を記憶する記憶媒体を用いて行い、前記クライアント装置は、前記記憶媒体に印刷設定情報が記憶されている場合は、該印刷設定情報を前記印刷ジョブに設定して前記サーバに送信する印刷指示手段を具備することを特徴とする。
【００１４】
また、請求項２の発明は、請求項１の発明において、前記第２の認証装置は、前記第１の認証装置で印刷指示の認証に用いた記憶媒体を用いて印刷許可の認証を認証を行うことを特徴とする。
【００１５】
また、請求項３の発明は、請求項１または２の発明において、前記表示手段に表示された前記印刷ジョブの一覧に基づき印刷ジョブの印刷順序を指定する印刷順序指定手段を更に具備することを特徴とする。
【００１６】
また、請求項４の発明は、請求項３の発明において、前記サーバ装置は、前記第２の認証装置で認証した印刷ジョブに付加された印刷情報と前記記憶媒体に記憶された印刷情報との照合を行い、前記印刷ジョブに付加された印刷情報と前記記憶媒体に記憶された印刷情報とが一致した場合に当該印刷ジョブを前記印刷装置に送信することを特徴とする。
【００１７】
また、請求項５の発明は、請求項４の発明において、前記サーバ装置は、前記印刷ジョブに付加された印刷情報と前記記憶媒体に記憶された印刷情報とが一致しない場合は、当該印刷ジョブに前記記憶媒体に記憶された印刷設定情報を設定して前記印刷装置に送信することを特徴とする。
【００１８】
また、請求項６の発明は、ネットワークに接続されたクライアント装置と、サーバ装置と、１または複数の印刷装置とを有し、前記クライアント装置は、該クライアント装置に対応して設けられた第１の認証装置で印刷指示の認証を行い、該認証された印刷指示に係わる印刷ジョブに所定の印刷設定情報を設定してサーバ装置に送信し、前記印刷装置は、前記サーバ装置に蓄積された前記印刷ジョブの印刷許可の認証を該印刷装置に対応して設けられた第２の認証装置で行って当該印刷ジョブを該印刷ジョブに設定された印刷設定情報に基づき実行する印刷システムの印刷制御方法において、前記第１の認証装置は、前記印刷指示の認証を所定の認証情報を記憶する記憶媒体を用いて行い、前記クライアント装置は、前記記憶媒体に印刷設定情報が記憶されている場合は、該印刷設定情報を印刷指示手段で前記印刷ジョブに設定して前記サーバに送信することを特徴とする。
【発明の効果】
【００１９】
この発明によれば、ネットワークに接続されたクライアント装置と、サーバ装置と、１または複数の印刷装置とを有し、クライアント装置は、該クライアント装置に対応して設けられた第１の認証装置で印刷指示の認証を行い、該認証された印刷指示に係わる印刷ジョブに所定の印刷設定情報を設定してサーバ装置に送信し、印刷装置は、サーバ装置に蓄積された印刷ジョブの印刷許可の認証を該印刷装置に対応して設けられた第２の認証装置で行って当該印刷ジョブを該印刷ジョブに設定された印刷設定情報に基づき実行する印刷システムにおいて、第１の認証装置は、印刷指示の認証を所定の認証情報を記憶する記憶媒体を用いて行い、クライアント装置は、該記憶媒体に印刷設定情報が記憶されている場合は、該印刷設定情報を印刷ジョブに設定してサーバに送信するように構成したので、セキュリティを確保しつつ複数のユーザが印刷設定を容易に行うことができるという効果を奏する。
【発明を実施するための最良の形態】
【００２０】
以下、この発明に係わる印刷システムおよびその制御方法の実施例を添付図面を参照して詳細に説明する。
【００２１】
図１は、この発明に係わる印刷システムの概略を示すシステム構成図である。
【００２２】
図１において、この印刷システムは、複数のクライアント装置１０−１、…１０−ｍと、プリントサーバ２０と、複数の印刷装置３０−１、…３０−ｎと、この複数の印刷装置３０−１、…３０−ｎに対応して設けられた認証装置４０−１、…４０−ｎとをそれぞれネットワーク５０に接続して構成される。
【００２３】
ここで、クライアント装置１０−１、…１０−ｍは、この印刷システムを用いた所望の文書の印刷指示を行うもので、この印刷指示に際してその権限を有するユーザであるかのユーザ認証を行う複数の認証装置１１−１、…１１−ｍがそれぞれローカルに接続される。
【００２４】
認証装置４０−１、…４０−ｎは、印刷装置３０−１、…３０−ｎに対応してそれぞれネットワーク５０に接続されており、対応する印刷装置３０−１、…３０−ｎからの上記印刷指示に係わる文書の印刷に際して、該印刷の権限を有するユーザであるかのユーザ認証を行う。
【００２５】
認証装置１１−１、…１１−ｍおよび認証装置４０−１、…４０−ｎにおけるユーザ認証は、ユーザが携帯するユーザ識別情報（ユーザＩＤ）等が記憶されたカード状記憶媒体（以下、セキュリティカードという）を用いたユーザ認証、ユーザの指紋等の生体的特徴情報を読み取るユーザ認証等を採用できるが、この実施例では、セキュリティカードを用いてユーザ認証を行う場合を例に挙げて説明する。
【００２６】
ここで、セキュリティカードは、ＩＣ（集積回路）を搭載したＩＣカード、磁気ストライプを記憶手段とする磁気カード等から構成でき、このセキュリティカードには、ユーザＩＤに加えて、ユーザの所属する部門情報、権限の範囲等のユーザ認証に必要な各種情報および印刷指示に基づき形成される印刷ジョブの暗号化に用いる秘密キーおよび符号化に用いる公開キー等が予め記憶されている。
【００２７】
クライアント装置１０−１、…１０−ｍは、自ら作成編集した文書若しくは図示しない文書管理システムから取得した文書の印刷装置３０−１、…３０−ｎを用いた印刷指示を行う。
【００２８】
この文書のクライアント装置１０−１、…１０−ｍからの印刷指示に際して、ユーザがこの文書の印刷指示を行う権限を有するか否かのユーザ認証をこのクライアント装置１０−１、…１０−ｍにローカルに接続される認証装置１１−１、…１１−ｍを用いて行う。
【００２９】
認証装置１１−１、…１１−ｍは、ユーザが携帯するセキュリティカードからユーザ認証に必要な情報を読み取るカードリーダを具備して構成され、ユーザ認証に際しては、セキュリティカードからユーザ認証に必要な情報（以下、認証データという）を読み取り、この認証データを対応するクライアント装置１０−１、…１０−ｍに入力する。
【００３０】
クライアント装置１０−１、…１０−ｍは、この認証データに基づき必要なユーザ認証を行う。このユーザ認証は、プリントサーバ２０に対する問合せにより行われる。
【００３１】
すなわち、クライアント装置１０−１、…１０−ｍは、セキュリティカードから読み取った認証データの全部若しくは一部をネットワーク５０を介してプリントサーバ２０に送信し、プリントサーバ２０に対してこのユーザがこの文書の印刷指示を行う権限を有するか否かの問合せを行う。
【００３２】
プリントサーバ２０では、自己のデータベース若しくは別設けられたユーザ管理システムへの問合せに基づき、当該ユーザが当該文書の印刷指示を行う権限を有するか否かのユーザ認証処理を行い、その応答をクライアント装置１０−１、…１０−ｍに返す。
【００３３】
クライアント装置１０−１、…１０−ｍでは、当該ユーザが当該文書の印刷指示を行う権限を有していないと判断されると当該印刷指示に基づく印刷ジョブは投入されず、破棄される。
【００３４】
しかし、当該ユーザが当該文書の印刷指示を行う権限を有していると判断されると、当該印刷指示に基づく印刷ジョブを生成する。
【００３５】
ところで、この実施例においては、印刷ジョブの生成に際して、両面印刷、Ｎアップ、ソート印刷、解像度設定等の印刷に係わる設定（以下、印刷設定という）を行うが、この印刷設定をセキュリティカードに予め記憶された印刷設定情報に基づき行うように構成される。
【００３６】
すなわち、この印刷設定においては、通常はプリントドライバのユーザインタフェース画面でデフォルトの印刷設定情報を表示し、このデフォルトの印刷設定情報を必要に応じてユーザ入力により所望の印刷設定情報に変更することにより行われるが、この印刷設定は、印刷指示を行う度に行わなければならず、この場合の印刷設定情報を忘れるとユーザの意図した印刷結果が得られないことになる。
【００３７】
そこで、この実施例においては、ユーザが通常の印刷で用いる印刷設定情報をユーザ認証に用いるセキュリティカードに予め記憶しておき、印刷ジョブの生成にさしては、セキュリティカードに印刷設定情報が記憶されている場合は、このセキュリティカードに記憶された印刷設定情報を読み出して、印刷ジョブに自動付加することで、印刷設定を容易に行うことができるように構成される。
【００３８】
なお、クライアント装置１０−１、…１０−ｍにおいては、プリントドライバのユーザインタフェース画面でユーザが設定した印刷設定情報若しくはセキュリティカードに記憶された印刷設定情報に基づき印刷ジョブに自動設定された印刷設定情報は、プリントドライバのユーザインタフェース画面で変更することができるように構成されており、この変更した印刷設定を再利用する場合は、この変更した印刷設定をセキュリティカードに記憶することができるように構成されている。
【００３９】
このようにして生成された印刷ジョブは、上記セキュリティカードから読み取った秘密キーを用いて暗号化し、この暗号化した印刷ジョブをネットワーク５０を経由してプリントサーバ２０へ送信する。
【００４０】
プリントサーバ２０は、クライアント装置１０−１、…１０−ｍから送信された暗号化された印刷ジョブを、例えば、印刷指示をしたユーザのユーザＩＤに対応して蓄積して管理する。この時点で、プリントサーバ２０に蓄積されたこの印刷ジョブに係わる印刷は開始されない。
【００４１】
さて、クライアント装置１０−１、…１０−ｍで印刷指示を行ったユーザ若しくはこの印刷指示に基づく印刷物を取得する権限を有するユーザがこの印刷指示に基づく印刷物を取得する場合は、印刷出力を行う印刷装置３０−１、…３０−ｎの近くに行き、この印刷装置３０−１、…３０−ｎの近くに配置された認証装置４０−１、…４０−ｎでユーザ認証を行う。
【００４２】
このユーザ認証は、認証装置１１−１、…１１−ｍによるユーザ認証と同様にセキュリティカードを用いて行う。
【００４３】
例えば、印刷出力を行う印刷装置３０−１の近くに行ったユーザが、当該印刷装置３０−１の近くの認証装置４０−１に該ユーザが携帯するセキュリティカードを挿入すと、認証装置４０−１により、セキュリティカードからユーザ認証に必要な認証データが読み取られる。
【００４４】
この読み取られた認証データは、ネットワーク５０を経由してプリントサーバ２０に送られ、プリントサーバ２０では、当該ユーザが当該印刷指示に基づく印刷物を取得する権限を有するか否かの認証を行う。
【００４５】
このユーザ認証も、プリントサーバ２０のデータベース若しくは別設けられたユーザ管理システムへの問合せに基づき行う。
【００４６】
このユーザ認証によりこのユーザが当該印刷装置３０−１で当該印刷指示に基づく印刷物を取得する権限を有していないと判断すると、この印刷指示に基づく印刷が禁止される。
【００４７】
また、このユーザ認証によりこのユーザが当該印刷装置３０−１で当該印刷指示に基づく印刷物を取得する権限を有していると判断されると、プリントサーバ２０は、認証装置４０−１、…４０−ｎから送られた認証データに含まれるユーザＩＤに基づき蓄積管理されている暗号化された印刷ジョブから該当印刷ジョブを検索して、この検索した印刷ジョブを取り出し、該印刷ジョブを認証データに含まれる公開キーを用いて復号化する。
【００４８】
また、プリントサーバ２０は、印刷装置３０−１、…３０−ｎと認証装置４０−１、…４０−ｎとの対応関係を記憶する対応関係テーブルを記憶しており、認証データを受け取った認証装置４０−１に対応する印刷装置３０−１を上記対応関係テーブルを参照して特定し、この特定した印刷装置３０−１に対して復号化した印刷データを送信する。
【００４９】
これにより、印刷装置３０−１、…３０−ｎではこの復号化された印刷データに基づき印刷を開始することになる。
【００５０】
なお、上記構成において、プリントサーバ２０は、印刷装置３０−１への印刷ジョブの送信に際して、該印刷ジョブに設定されている印刷設定情報とセキュリティカードから読み取った印刷設定情報とを比較し、両者が一致した場合のみ当該印刷ジョブを印刷装置３０−１へ送信するように構成してもよい。
【００５１】
このような構成によると、ユーザの意に反して異なる印刷設定情報で印刷されるのを防ぐことができる。
【００５２】
また、プリントサーバ２０は、セキュリティカードから読み取った情報の中に印刷設定情報が含まれているかを調べ、印刷設定情報が含まれている場合は、印刷ジョブに設定されている印刷設定情報をこのセキュリティカードから読み取った印刷設定情報で置き換えて印刷装置３０−１へ送信するように構成してもよい。
【００５３】
このような構成によると、セキュリティカードに記憶されている印刷設定情報を予め書き換えておくことで、印刷時には、印刷ジョブに設定されている印刷設定情報とは異なる印刷設定情報で印刷を行うことも可能になる。
【００５４】
このように、この実施例においては、認証装置１１−１、…１１−ｍを用いた印刷指示に際して、セキュリティカードに記憶されている印刷設定情報を用いることで印刷ジョブの印刷設定を容易かつ適切に行うことが可能になり、また、認証装置４０−１、…４０−ｎによるユーザ認証に際しては、印刷ジョブに設定されている印刷設定情報とセキュリティカードから読み取った印刷設定情報との照合を行うことで、誤った印刷設定での印刷を防止でき、また、印刷に印刷設定を変更して印刷することも可能になる。
【００５５】
また、この実施例においては、印刷時に認証装置４０−１、…４０−ｎによるユーザ認証を行うので、印刷物が第三者によって持ち去られたり、または、その内容が見られてしまうというセキュリティ上の不都合は生じず、また、印刷装置３０−１、…３０−ｎ内に認証判定の構成を設けないので、既に導入されているネットワーク環境を変更することなく、認証装置１１−１、…１１−ｍおよび認証装置４０−１、…４０−ｎとして各種認証デバイスを採用することが可能になる。
【００５６】
図２は、図１に示したプリントサーバ２０の詳細構成の一例を示すブロック図である。
【００５７】
図２において、このプリントサーバ２０は、ネットワーク５０とのインタフェースを構成するネットワークインタフェース部２０１、印刷ジョブ受付部２０２、印刷ジョブ蓄積管理部２０３、認証データ受付部２０４、認証処理部２０５、認証結果送信部２０６、印刷ジョブ選択部２０７、印刷ジョブ復号化部２０８、印刷データ生成部２０９、印刷設定情報受信部２１０、印刷装置認証装置対応関係記憶部２１１、印刷装置特定部２１２、印刷データ送信部２１３を具備して構成される。
【００５８】
ここで、印刷ジョブ受付部２０２は、ネットワークインタフェース部２０１を介してクライアント装置１０−１、…１０−ｍからの印刷指示に係わる暗号化された印刷ジョブを受け付ける。
【００５９】
印刷ジョブ蓄積管理部２０３は、印刷ジョブ受付部２０２で受け付けた暗号化された印刷ジョブをユーザＩＤに対応して蓄積管理する。
【００６０】
認証データ受信部２０４は、クライアント装置１０−１、…１０−ｍからの問合せに係わる認証データおよび認証装置４０−１、…４０−ｎからの認証データを受信する。
【００６１】
認証処理部２０５は、認証データ受信部２０４で受信した認証データに基づきクライアント装置１０−１、…１０−ｍからの問合せに係わる認証データおよび認証装置４０−１、…４０−ｎからの認証データに基づきユーザ認証を行うとともに、認証装置４０−１、…４０−ｎからの認証データから印刷指示に係わる印刷ジョブを復号化するための公開キーを抽出する。
【００６２】
ここで、認証処理部２０５におけるクライアント装置１０−１、…１０−ｍからの問合せに係わる認証データに基づくユーザ認証は、クライアント装置１０−１、…１０−ｍからこの印刷システムを用いて印刷指示を行うユーザが正当な権限を有するか否かの認証を行うものであり、また、認証装置４０−１、…４０−ｎからの認証データに基づくユーザ認証は、上記印刷指示に係わる印刷物を取得するユーザが正当な権限を有するか否かの認証を行うものである。
【００６３】
このユーザ認証は、プリントサーバ２０内の図示しないデータベース若しくはこの印刷システムと連携する図示しないユーザ管理システムのデータベースを参照して行うことができる。
【００６４】
認証結果送信部２０６は、認証処理部２０５が、クライアント装置１０−１、…１０−ｍからの問合せに係わる認証データに基づきユーザ認証を行った場合は、その認証結果をネットワークインタフェース部２０１を経由してクライアント装置１０−１、…１０−ｍに返送し、認証装置４０−１、…４０−ｎからの認証データに基づきユーザ認証を行った場合は、その認証結果をネットワークインタフェース部２０１を経由して認証装置４０−１、…４０−ｎに返送する。
【００６５】
印刷ジョブ選択部２０７は、認証処理部２０５が、認証装置４０−１、…４０−ｎからの認証データに基づきユーザ認証を行い、印刷物を取得する正当なユーザであると認証した場合は、当該ユーザのユーザＩＤに基づき印刷ジョブ蓄積管理部２０３に蓄積管理されている印刷ジョブの中から印刷を許可する印刷ジョブを選択する。
【００６６】
印刷ジョブ復号化部２０８は、印刷ジョブ選択部２０７で選択した印刷ジョブを認証処理部２０５で抽出した公開キーに基づき復号化し、印刷データ生成部２０９は、印刷ジョブ復号化部２０８で復号化したデータに基づき、印刷装置３０−１、…３０−ｎに送信する印刷データを生成する。
【００６７】
印刷設定情報受信部２１０は、認証装置４０−１、…４０−ｎにおけるユーザ認証に際してセキュリティカードから読み取った印刷設定情報を受信する。
【００６８】
この印刷設定情報受信部２１０で受信した印刷設定情報は、印刷データ生成部２０９で印刷ジョブに設定されている印刷設定情報と照合され、次のいずれかの動作を行う。
【００６９】
１）印刷ジョブに設定されている印刷設定情報を優先して、セキュリティカードから読み取った印刷設定情報を無視して印刷データを生成する。
【００７０】
２）印刷ジョブに設定されている印刷設定情報がセキュリティカードから読み取った印刷設定情報と異なる場合は、印刷データの生成を禁止する。
【００７１】
３）セキュリティカードから読み取った印刷設定情報を優先して、印刷ジョブに設定されている印刷設定情報をセキュリティカードから読み取った印刷設定情報に置き換えて印刷データを生成する。
【００７２】
なお、印刷データ生成部２０９で上記１）、２）、３）のいずれの動作を行うかは、プリントサーバ２０に予め設定しておくように構成してもよいが、セキュリティカードに、この選択を行うための情報を予め設定しておくように構成してもよい。
【００７３】
印刷装置認証装置対応関係記憶部２１０は、印刷装置３０−１、…３０−ｎと認証装置４０−１、…４０−ｎとの対応関係を記憶する対応関係テーブルを記憶しており、印刷装置特定部２１１は、認証処理２０５で認証処理した認証データが認証装置４０−１、…４０−ｎがどの認証装置４０−１、…４０−ｎから送られたかにより上記印刷装置認証装置対応関係記憶部２１０に記憶されている対応関係テーブルを参照して印刷データを送信する印刷装置を印刷装置３０−１、…３０−ｎの中から特定する。
【００７４】
印刷データ送信部２１２は、印刷データ生成部２０９で生成された印刷データを印刷装置特定部２１１で特定された印刷装置に対してネットワークインタフェース部２０１を介して送信する。
【００７５】
図３は、図１に示したクライアント装置１０−１、…１０−ｍ（クライアント装置１０と総称する）の詳細構成の一例を示すブロック図である。
【００７６】
図３において、クライアント装置１０は、この印刷システムを用いた印刷指示を行うもので、パーソナルコンピュータ等から構成され、認証装置１１−１、…１１−ｍ（認証装置１１として総称する）がローカルに接続される。
【００７７】
このクライアント装置１０は、印刷指示受付部１０１、印刷ジョブ生成部１０２、印刷設定情報受信書込処理部１０３、認証データ受信部１０４、認証処理部１０５、認証データ送信部１０６、認証結果受信部１０７、印刷ジョブ暗号化部１０８、印刷ジョブ送信部１０９、ネットワークインタフェース部１１０を具備して構成される。
【００７８】
ここで、印刷指示受付部１０１は、図示しないキーボード、マウス等の入力選択操作に基づきこの印刷システムを用いた印刷指示を受け付ける。
【００７９】
印刷設定情報受信書込処理部１０３は、認証装置１１からの送信されたセキュリティカードに記憶された印刷設定情報の受信および認証装置１１を介してセキュリティカードに対する印刷設定情報の書き込みの処理を行う。
【００８０】
認証データ受信部１０４は、認証装置１１からこの印刷指示に係わる認証データを受信する。
【００８１】
認証処理部１０５は、この認証データ受信部１０４で受信した認証データに基づきこの印刷指示を行うユーザが正当な権限を有するユーザか否かのユーザ認証を行う。
【００８２】
この認証処理部１０５によるユーザ認証は、プリントサーバ２０に対する問合せにより行われる。
【００８３】
すなわち、認証処理部１０５におけるユーザ認証に際しては、認証装置１１からの認証データの一部若しくは全部を認証データ送信部１０６、ネットワークインタフェース部１１０経由で、プリントサーバ２０に送信することにより、この認証データにかかわるユーザがこの印刷システムを用いて印刷指示を行う権限を有するユーザであるかの問合せを行う。
【００８４】
そして、この問合せの結果をネットワークインタフェース部１１０で認証結果受信部１０７で受信し、認証処理部１０５は、この認証結果受信部１０７の受信情報に基づきこの認証データにかかわるユーザがこの印刷システムを用いて印刷指示を行う権限を有するユーザであるかを判別する。
【００８５】
印刷ジョブ生成部１０２は、認証処理部１０５におけるユーザ認証により、この認証データにかかわるユーザがこの印刷システムを用いて印刷指示を行う権限を有する正当なユーザであると判断されると、印刷指示受付部１０１で受け付けた印刷指示に基づきこの印刷システムを用いて印刷指示を行う印刷ジョブを生成する。
【００８６】
印刷ジョブ生成部１０２における印刷ジョブの生成に際しては、図示しないプリントドライバのユーザインタフェース画面で印刷設定を行う。
【００８７】
この印刷設定においては、印刷設定情報受信書込処理部１０３でセキュリティカードに記憶された印刷設定情報を受信していない場合は、プリントドライバのユーザインタフェース画面でデフォルトの印刷設定情報を表示し、このデフォルトの印刷設定情報を必要に応じてユーザ入力により変更することで所望の印刷設定を行う。
【００８８】
しかし、印刷設定情報受信書込処理部１０３でセキュリティカードに記憶された印刷設定情報を受信した場合は、このセキュリティカードに記憶された印刷設定情報に基づき当該印刷ジョブの印刷設定を自動で行う。
【００８９】
なお、プリントドライバのユーザインタフェース画面でユーザが設定した印刷設定情報若しくはセキュリティカードに記憶された印刷設定情報に基づき印刷ジョブに自動設定された印刷設定情報をユーザ入力により変更することができる。
【００９０】
この変更した印刷設定を再利用する場合は、この変更した印刷設定情報を印刷設定情報受信書込処理部１０３に送り、認証装置１１でセキュリティカードに記憶する。
【００９１】
印刷ジョブ暗号化部１０８は、印刷ジョブ生成手段で生成された印刷ジョブを認証データに含まれる印刷ジョブ暗号化の秘密キーを用いて暗号化する。
【００９２】
印刷ジョブ送信部１０９は、印刷ジョブ暗号化部１０８で暗号化された印刷ジョブをネットワークインタフェース部１１０、ネットワーク５０を経由してプリントサーバ２０に送信する。
【００９３】
図４は、図３に示したクライアント装置１０の処理を示すフローチャートである。
【００９４】
図４において、クライアント装置１０は、まず、印刷指示受付部１０１で印刷指示を受け付けたかを調べ（ステップ４０１）、印刷指示を受け付けていない場合は（ステップ４０１でＮＯ）、ステップ４０１に戻り、印刷指示の受付を待つが、印刷指示を受け付けたと判断されると（ステップ４０１でＹＥＳ）、次に、この印刷指示に係わる認証データを認証データ受信部１０４で受信したかを調べる（ステップ４０２）。
【００９５】
ここで、認証データを受信していないと（ステップ４０２でＮＯ）、ステップ４０２に戻り、認証データの受信を待つ。
【００９６】
認証データを受信すると（ステップ４０２でＹＥＳ）、この受信した認証データに基づき認証処理部１０５で、この認証データに係わるユーザがこの印刷システムを用いて印刷指示を行う権限を有するかのユーザ認証を行う（ステップ４０３）。
【００９７】
このユーザ認証により、この印刷システムを用いて印刷指示を行う権限を有するかのユーザであると認証されると（ステップ４０４でＹＥＳ）、ステップ４０５に進む。
【００９８】
ステップ４０５では、印刷設定情報受信書込処理部１０３で印刷設定情報を受信したかを調べ（ステップ４０５）、受信していない場合は（ステップ４０５でＮＯ）、プリントドライバのユーザインタフェース画面でデフォルトの印刷設定情報を表示するが、印刷設定情報を受信した場合は（ステップ４０５でＹＥＳ）、プリントドライバのユーザインタフェース画面で印刷設定情報受信書込処理部１０３で受信した印刷設定情報を表示する。
【００９９】
次に、このプリントドライバのユーザインタフェース画面で印刷設定情報の変更があったかを調べ（ステップ４０６）、印刷設定情報の変更があった場合は（ステップ４０７）、例えば、ユーザの指示によりこの変更した印刷設定情報を印刷設定情報受信書込処理部１０３に送り、セキュリティカードに対するこの印刷設定情報の書込処理を行い（ステップ４０７）、ステップ４０８に進む。。
【０１００】
なお、ステップ４０６で印刷設定情報の変更がないと判断された場合は（ステップ４０６でＮＯ）、このままステップ４０８へ進む。
【０１０１】
ステップ４０８では、プリントドライバのユーザインタフェース画面の印刷設定情報を用いて印刷設定を行い、印刷指示に係わる印刷ジョブを印刷ジョブ生成部１０２で生成する（ステップ４０８）。
【０１０２】
次に、この生成した印刷ジョブを印刷ジョブ暗号化部１０７で認証データに含まれる秘密キーを用いて暗号化し（ステップ４０９）、この暗号化した印刷ジョブを印刷ジョブ送信部１０９により、ネットワークインタフェース部１１０を介してプリントサーバ２０に送信し（ステップ４１０）、このクライアント装置１０における処理を終了する。
【０１０３】
なお、ステップ４０４で、認証データに係わるユーザがこの印刷システムを用いて印刷指示を行う権限を有していないと判断されると（ステップ４０４でＮＯ）、この印刷システムを用いた印刷指示を行うことはできないので、印刷指示の禁止メッセージをクライアント装置１０の表示器等に印刷指示の権限を有していない旨のメッセージを表示し（ステップ４１１）、印刷指示受付部１０１で受け付けた印刷指示を破棄する等の印刷禁止処理を行って（ステップ４１２）、このクライアント装置１０における処理を終了する。
【０１０４】
図５は、図２に示したプリントサーバ２０の処理を示すフローチャートである。
【０１０５】
なお、図５においては、プリントサーバ２０に、印刷ジョブに設定されている印刷設定情報がセキュリティカードから読み取った印刷設定情報と異なる場合は、印刷ジョブに設定されている印刷設定情報をセキュリティカードから読み取った印刷設定情報印刷データで置き換えて印刷データを生成すると設定されている場合の処理について説明する。
【０１０６】
図５において、プリントサーバ２０は、まず、印刷ジョブ受付部２０２で、クライアント装置１０からの暗号化された印刷ジョブを受け付けたかを調べる（ステップ５０１）。ここで、クライアント装置１０からの暗号化された印刷ジョブを受け付けていないと（ステップ５０１でＮＯ）、ステップ５０３に進む。
【０１０７】
印刷ジョブ受付部２０２でクライアント装置１０からの暗号化された印刷ジョブを受け付けると（ステップ５０１でＹＥＳ）、この暗号化された印刷ジョブを印刷ジョブ蓄積管理部２０３に蓄積して、印刷指示に係わるユーザＩＤに対応して管理し（ステップ５０２）、ステップ５０３に進む。
【０１０８】
ステップ５０３では、クライアント装置１０からの問合せに基づく認証データ若しくは認証装置４０からの認証データを認証データ受信部２０４で受信したかを調べる。ここで、認証データを受信していない場合は（ステップ５０３でＮＯ）、ステップ５０１に戻るが、認証データを受信すると（ステップ５０３でＹＥＳ）、認証処理部２０５によるユーザ認証を行う。
【０１０９】
次に、このユーザ認証がクライアント装置１０からの問合せに基づく認証か、すなわち、クライアント装置１０からの認証依頼かを調べる（ステップ５０５）。ここで、このユーザ認証がクライアント装置１０からの認証依頼である場合は（ステップ５０５でＹＥＳ）、認証結果を認証結果送信部２０６、ネットワークインタフェース２０１を経由してクライアント装置１０に送信して（ステップ５０６）、このプリントサーバ２０の処理を終了する。
【０１１０】
また、ステップ５０５で、ユーザ認証がクライアント装置１０からの認証依頼でない場合は（ステップ５０５でＮＯ）、認証装置４０からの認証データに基づくユーザ認証であるので、この認証データにかかわるユーザが当該印刷指示に基づく印刷物を取得する権限を有するか否かの判断を行う（ステップ５０７）。
【０１１１】
ここで、印刷物を取得する権限を有していると判断されると（ステップ５０７でＹＥＳ）、印刷ジョブ選択部２０７により、認証装置４０から送られた認証データに含まれるユーザＩＤに基づき、印刷ジョブ蓄積管理部２０３に蓄積管理されている暗号化された印刷ジョブを選択し、この選択した暗号化された印刷ジョブを印刷ジョブ復号化部２０８で認証データに含まれる公開キーを用いて復号化する（ステップ５０８）。
【０１１２】
そして、印刷設定情報受信部２１０で印刷設定情報を受信したかを調べ（ステップ５０９）、ここで、印刷設定情報を受信していない場合は（ステップ５０９でＮＯ）、ステップ５１２に進む。
【０１１３】
また、ステップ５０９で、印刷設定情報受信部２１０で印刷設定情報を受信していると判断された場合は（ステップ５０９でＹＥＳ）、復号化された印刷ジョブに設定されている印刷設定情報と印刷設定情報受信部２１０で受信した印刷設定情報とが一致するかを調べ（ステップ５１０）、一致している場合は（ステップ５１０でＮＯ）、復号化された印刷ジョブに設定されている印刷設定情報を印刷設定情報受信部２１０で受信した印刷設定情報に置き換える印刷設定情報再設定を行い（ステップ５１１）、ステップ５１２に進む。
【０１１４】
ステップ５１２では、印刷ジョブに設定されている印刷設定情報に基づき印刷データの生成を印刷データ生成部２０９で行う（ステップ５１２）。
【０１１５】
次に、印刷装置認証装置対応関係記憶部２１０に記憶されている対応関係テーブルを参照してこの認証データを送信した認証装置４０に対応する印刷装置３０を特定する（ステップ５１３）。
【０１１６】
そして、印刷データ生成部２０９で生成した印刷データをステップ５１３で特定した印刷装置３０に印刷データ送信部２１３、ネットワークインタフェース部２０１を介して送信し（ステップ５１４）、このプリントサーバ２０の処理を終了する。
【０１１７】
なお、ステップ５０７で、認証データにかかわるユーザが当該印刷指示に基づく印刷物を取得する権限を有していないと判断されると（ステップ５０７でＮＯ）、この印刷指示に基づく印刷はできないので、所定の印刷禁止処理を行って（ステップ５１５）、このプリントサーバ２０の処理を終了する。
【０１１８】
なお、図５に示すフローチャートにおいては、プリントサーバ２０に、印刷ジョブに設定されている印刷設定情報がセキュリティカードから読み取った印刷設定情報と異なる場合は、印刷ジョブに設定されている印刷設定情報をセキュリティカードから読み取った印刷設定情報印刷データで置き換えて印刷データを生成すると設定されている場合の処理について説明したが、印刷ジョブに設定されている印刷設定情報がセキュリティカードから読み取った印刷設定情報と異なる場合は、当該印刷ジョブの印刷を禁止するように構成してもよい。
【０１１９】
また、上記実施例においては、プリントサーバ２０に蓄積管理される暗号化された印刷ジョブを認証装置４０からの認証データに含まれる公開キーを用いてプリントサーバ２０内で復号化して印刷データを印刷装置３０に送信するように構成したが、上記印刷ジョブの復号化を認証装置４０内で行うように構成してもよく、また、印刷装置３０内で行うように構成してもよい。
【０１２０】
図６は、図１に示した認証装置４０−１、…４０−ｎ（認証装置４０と総称する）の処理を示すフローチャートである。
【０１２１】
図６において、認証装置４０は、まず、セキュリティカードの挿入により認証データを受け付けたかを調べる（ステップ６０１）。ここで、認証データを受け付けた場合は（ステップ６０１でＹＥＳ）、この認証データに基づき、プリントサーバ２０に対して認証依頼を行う（ステップ６０２）。
【０１２２】
次に、この認証依頼に対応してプリントサーバ２０から認証結果に基づき印刷要求の権限があるかを調べる（ステップ６０３）。
【０１２３】
ここで、印刷要求の権限があると判断されると（ステップ６０３でＹＥＳ）、セキュリティカードに印刷設定情報の記憶があるかを調べ（ステップ６０４）、ある場合は（ステップ６０４でＹＥＳ）、このセキュリティカードに記憶された印刷設定情報をプリントサーバ２０に送信し（ステップ６０５）、この処理を終了する。
【０１２４】
なお、ステップ６０３で印刷権限がないと判断された場合は（ステップ６０３ＮＯ）、音声案内等で印刷が不可であることを報知を行い（ステップ６０６）、この処理を終了する。
【０１２５】
なお、上記実施例においては、認証データに含まれる秘密キーを用いて印刷指示に係わる印刷ジョブを暗号化してクライアント装置１０−１、…１０−ｍからプリントサーバ２０送り、この暗号化された印刷ジョブを認証データに含まれる公開キーにより復号化するように構成したが、認証データの一部を印刷ジョブの暗号化、符号化のキーとして用いるように構成してもよい。
【０１２６】
また、上記実施例においては、印刷指示に係わる印刷ジョブを暗号化してクライアント装置１０−１、…１０−ｍからプリントサーバ２０送り、この暗号化された印刷ジョブを復号化して印刷装置３０−１、…３０−ｎで印刷するように構成したが、ネットワーク５０が情報漏洩の虞のない環境化にある場合には、上記印刷ジョブの暗号化、復号化は必ずしも必要ではない。
【産業上の利用可能性】
【０１２７】
この発明の印刷システムおよびその制御方法は、セキュリティ性を必要とする各種文書の印刷システムに適用することができる。
【０１２８】
この発明によれば、印刷指示の認証を所定の認証情報を記憶する記憶媒体を用いて行い、クライアント装置は、該記憶媒体に印刷設定情報が記憶されている場合は、該印刷設定情報を印刷ジョブに設定してサーバに送信するように構成したので、セキュリティを確保しつつ複数のユーザが印刷設定を容易に行うことができる。
【図面の簡単な説明】
【０１２９】
【図１】この発明に係わる印刷システムの概略を示すシステム構成図である。
【図２】図１に示したプリントサーバの詳細構成の一例を示すブロック図である。
【図３】図１に示したクライアント装置の詳細構成の一例を示すブロック図である。
【図４】図３に示したクライアント装置の処理を示すフローチャートである。
【図５】図２に示したプリントサーバの処理を示すフローチャートである。
【図６】図１に示した印刷装置側で認証処理を行う認証装置の処理を示すフローチャートである。
【符号の説明】
【０１３０】
１０、１０−１、…１０−ｍ    クライアント装置
１１、１１−１、…１１−ｍ    認証装置
１２    セキュリティカード
２０    セキュリティプリントサーバ
３０、３０−１、…３０−ｎ    印刷装置
４０、４０−１、…４０−ｎ    認証装置
５０    ネットワーク
１０１    印刷指示受付部
１０２    印刷ジョブ生成部
１０３    印刷設定情報受信書込処理部
１０４    認証データ受信部
１０５    認証処理部
１０６    認証データ送信部
１０７    認証結果受信部
１０８    印刷ジョブ暗号化部
１０９    印刷ジョブ送信部
１１０    ネットワークインタフェース部
２０１    ネットワークインタフェース部
２０２    印刷ジョブ受付部
２０３    印刷ジョブ蓄積管理部
２０４    認証データ受付部
２０５    認証処理部
２０６    認証結果送信部
２０７    印刷ジョブ選択部
２０８    印刷ジョブ復号化部
２０９    印刷データ生成部
２１０    印刷設定情報受信部
２１１    印刷装置認証装置対応関係記憶部
２１２    印刷装置特定部
２１３    印刷データ送信部
【図１】
2006259866.tif 000003
【図２】
2006259866.tif 000004
【図３】
2006259866.tif 000005
【図４】
2006259866.tif 000006
【図５】
2006259866.tif 000007
【図６】
2006259866.tif 000008